(57)【要約】      （修正有）【課題】  汚染排出を減少し、エネルギーを節約する液体炭化水素内燃機関を備えた機器に取付ける装置。【解決手段】  純酸素混合器装置とイオン発生分子化装置とが組み合わせて、燃料内で広がり、炭化水素の分子と相互作用して一時的にその構造を変化させ、気化しやすくすることとなり、ここにおいて、前記磁場の作用のもとで、前記エネルギーを通じて分子を活性化することにより、炭化水素の分子構造の一時的変化が得られる、装置。【選択図】図−１
2009109172.tif 000002
【特許請求の範囲】
【請求項１】
液体炭化水素内燃機関を有するボイラーにおける汚染排出削減並びにエネルギーを節約する装置において、燃料装置の磁場イオン化装置と混合器装置とが組合わせて燃料内のサービスタンクで広がり、炭化水素の分子と相互作用して一時的にその構造を変化させて、気化しやすくすることとなり、ここにおいて、前記磁場の作用のもとで、前に伴う磁場イオン化エネルギーを通じて分子を酸素とを混合することにより活性化し、炭化水素の分子構造の一時的変化が得られる、ことを特徴とする装置。
【請求項２】
セラミック、マグネットリング、銅線コイルとダイオードの組合された装置にギヤーポンプの運動エネルギーと、燃料内のイオン化装置内に発生する相互作用により、分子を混合器装置にて活性化することを特徴とする、何れかに記載の装置。
【請求項３】
マグネットリングが、サマリウム（Ｓｍ）やコバルト（Ｃｏ）などの希土類物質で形成された永久磁石材料製であることを特徴とする、先行する請求項の何れかに記載の装置。
【請求項４】
ガソリンやディーゼル油などの燃料を特徴付ける、複雑な炭素や水素原子の鎖が、流動にて発生される合成波により破壊され、これらの炭素鎖が、炭素−炭素結合及び水素−水素結合において切断され、より良く燃焼するのにふさわしい炭素鎖とすることを特徴とする、何れかに記載の装置。
【請求項５】
サービルタンク内の燃料が、ギヤーポンプの作動によってかき混ぜられた時に、内部にて発生する分子化装置よる静電気（イオン）が、電磁波の流れを集中させ、分子を混合器装置にて生成活性化を維持させることを特徴とする、何れかに記載の装置。
【請求項６】
燃料の分子構造を変えることによって、相互の分子集合を低下させ、炭化水素分子間の混合器装置にて酸素透過性を良好かつ増大させることを特徴とする、先行する請求項の何れかに記載の装置。
【請求項７】
液体炭化水素内燃機関を有するボイラーにおける汚染排出削減並びにエネルギーを節約する装置において、混合器装置に純液体酸素を電磁バルブ制御でコントロール出来るようにさせたことを特徴とする、先行する請求項の何れかに記載の装置。
【請求項８】
液体炭化水素内燃機関を有するボイラーにおける汚染排出削減並びにエネルギーを節約する装置において、燃料装置のイオン化装置と混合器装置に電磁バルブ制御で、外部より制御出来るようにさせたことを特徴とする、何れかに記載の装置。
【請求項９】
液体炭化水素内燃機関を有するボイラーにおける汚染排出削減並びにエネルギーを節約する装置において、混合器装置上に圧力制御でコントロール出来るようにさせたことを特徴とする、何れかに記載の装置。
【請求項１０】
液体炭化水素内燃機関を有するボイラーにおける汚染排出削減並びにエネルギーを節約する装置において、通常のオイル使用運転とイオン化混合器装置運転の切替電磁バルブを取付けたことを特徴とする、何れかに記載の装置。
【発明の詳細な説明】
【技術分野】
【０００１】  本発明は本質的にボイラーに関し、特に液体炭化水素を燃焼する装置全てと同様の内燃またはディーゼルエンジンを備えた内燃に関する。
【背景技術】
【０００２】  ボイラー技術を推進しても、炭化水素全体を作用させることはできず、このたこれら炭化水素の一部が不完全燃焼することは知られている。これら問題を克服するためにこれまで多くの解決策が提案されており、コントロールエレクトロニクスとの両方に関連した努力がなされてきたが、結果、低消費率と汚染排出削減を保証するのに必要な、完璧な操作条件のもとに装置を維持するためには、製造コストがかなり増し、常に尽力が要求されてきた。
【発明の開示】
【０００３】  他社の分子化装置と称する、押し付けられる磁石エレメントを含む、燃料サービスタンクに電磁波と遠赤外線とを合成放出する装置が知られている。
【発明が解決しようとする課題】
【０００４】  しかし、この装置は以下簡単に説明するような幾つかの不都合及び欠点がある。第１の問題は、電磁波の伝達を得るためには、燃料サービスタンクに一定の放射性添加基材を取り入れねばならないことである。この解決策は、燃料内で溶融される基材が燃料ポンプから経路を塞ぐ傾向にあることから、一時しのぎにすぎない。
【０００５】  さらに、前記他社のでは構成された（部品）の電磁波の反射に貢献するギヤーポンプの圧縮によって、装置内に配置されその位置を維持されている磁石との接触と正常な位置付けにより、電磁波が増加させられる。これは、時間と共に劣化する傾向にあるため、以下の諸問題を起こす欠点の原因となる。サービスタンク導管が塞がれる可能性を起こす。従って他社の特許に開示された装置は、操作性が時間とともに変化し温水ボイラーのダメージを起こし得るため、実際に使用することができない。
【課題を解決するための手段】
【０００６】  本発明は人力に頼らず、温水ボイラーのどのような燃料ポンプシステムも変更することなく簡単に設置され、燃料サービスタンク内の全燃料を内部で操作できる装置を提供することにより、これら問題を解決するものである。これは、マグネットの電磁波によって、イオンが発生することができる燃料分子化装置で達成され、燃料に添加剤を使用することなく、その機能と構造装置を構成する異なる純酸素燃料混合装置の材料と配することとの組み合わせによって、電磁波とイオンの生成を増し、燃料全体に広がる燃料分子化装置と燃料混合装置に関連随するエネルギーが、炭化水素の分子と相互作用し、一時的にその構造を変化させて、さらに気化しやすくする。これによって、燃焼が増大、改良され、これまで燃焼されなかった燃料の殆どが燃焼されることとなる。これによって、汚染排出及び消費率を非常に削減させ、温水ボイラーがより清浄化されその働きがさらに効果を増すことになる。
【発明の効果】
【発明を実施するための最良の形態】
【０００７】  本発明をさらに理解するために、好ましい実施態様を図示した添付図面に従って、以下詳細に説明するが、本発明は実施例に限定されるものではない。【０００８】  上述のごとく、本発明による装置は液体燃料に含まれている炭化水素の分子構造を一時的に変化せしめて燃料気化促進装置として作用する。特に、これは、燃料分子を永久磁石でイオン活性化することで達成されるのであり、イオン化は、永久磁石で発生される電磁場と、並びに燃料のギャーポンプで送り出る運動エネルギーと純酸素燃料混合装置による相互作用により発生される。【０００９】  永久磁石でイオン化する装置は、円筒形を有しており、純酸素燃料混合装置も円筒形を有して、硬い導管内に配置れ、永久磁石でイオン化する装置は、環状の永久磁石と、金属パイプより形成されている。【００１０】  本発明の特徴によれば、上述のごとく、前記アセンブリは、オイルタンクとボイラーの間で連続的に電気モター（ギヤーポンプ）に接続されていることによって、オイルタンクとボイラーとが電気的な電磁バルプ制御されることが保証される。
【実施例】
【００１１】  本発明を他と区別する特徴と特性をさらに開示するために、以下に装置の各構成を詳細に説明する。【００１２】  環状の永久磁石構成物は、内部に配置された部材全てを、正しい位置に維持する機能を有する。環状永久磁石は、サマリウム（Ｓｍ）やコバルト（Ｃｏ）などの希土類物質を含む永久磁性材料製である。これらの磁石は、最新のもの（ｌａｓｔ  ｇｅｎｅｒａｔｉｏｎ）に属し、現在利用可能な他の磁石の何れよりも非常に高い効果を有しており、特にサマリウムの高エネルギーと磁力とにより、非常に小型で効果の高い磁石の設計が可能である。これらの永久磁石電磁波をより多く発生させるものであって、これらの広がりに非常に重要である。磁石は、これら成分の化学的効果を強化するのに必須である。磁石は、また別の形態を有してもよい。【００１３】  装置を燃料供給パイプの中間内に設置し、メインタンクより入に連結する。形成しようとする合成電磁波は、燃料の質が、電磁波放出により次第に改良される。つまり燃料が純化され、重い煙及び／または粒子を生成することなく、非常に素早く燃料を燃焼することができる。これは、サービスタンク内の液体燃料がその分子構造に一時的変更を受け、これが純酸素によって素早く気化されうることを意味している。【００１４】  言い換えれば、炭素及び水素原子の複雑な炭素鎖を特徴とするＡ重油やディーゼル油や灯油などの燃料を考慮すると、本発明により発生される装置によりこれらが破壊されることになる。これらの炭素鎖は、炭素−炭素結合において断たれ（ｉｎｔｅｒｒｕｐｔｅｄ）、炭素鎖に酸素結合が増え良質の内燃によりふさわしいものとなる。これは、また、炭化水素からなる内燃及び液体燃料の場合全ての場合にも言えることである。【００１５】  本発明によれば、サービスタンク内の燃料がギヤーポンプの移動によりかき混ざる場合に、その内部に起こる静電気（イオン）が、燃料の分子構造を変えることで、相互の分子集合を低下させ、炭化水素分子間の酸素透過性を良好かつ増大させることになる。【００１６】  このことは、すべて、以下のような有効な効果をもたらす。非燃焼炭化水素排出の徹底削減−消費率の削減−燃料供給システムの清浄化より効率よく作用させる。人力の要求削減さらに、装置をメインタンク内の中間に設置するので、燃料ポンプシステムは変更する必要がなく、外部からの供給がないので、短絡による汚染の可能性が全体的に排除される。実験によれば、この装置を使用して、各耐久力にもよるが、燃料消費率は１０乃至２５％削減されたことがわかった。
【産業上の利用可能性】
【００１７】    最後に、前述の説明から言えることは、本発明は、変更することなく、燃焼用液体炭化水素を燃焼させるどのような温水ボイラーにも適用することができる。本発明を好ましい実施態様に添って説明図示したが、本産業発明の範囲を逸脱することなく、この分野に従事するものが同等の変更、代替ができる。
【図面の簡単な説明】
【００１８】
【図１】ブロック全体図
【図２】インジェクションとマグネットとコイルによるオイル分子化装置図符号の説明１  純酸素ボンベ２  圧  力スイッチ３  エアー調整装置４  インジェクションとマグネットとセラミックコイルによるオイル分子化装置５  重油ＯＵＴ６  オイル圧  力タンク符号の説明１  純酸素ボンベ２  圧  力スイッチ３  エアー調整装置４  インジェクションとマグネットとセラミックコイルによるオイル分子化装置５  重油ＯＵＴ６  オイル圧  力タンク７  バイパス用ストップバルブ８  重油ＯＵＴ９  ギーヤモターＡＣ２００Ｖ１０  重油  ＩＮ１１  三方電磁バルブ１２  流量計１３  ダイオード１４  永久マグネット１５  巻線コイル１６  ステンレススチル  ３／４インチ筒１７  空気  入り口１８  空気導入口１９  軽油  入口２０  軽油  出口２１  セラミック７  バイパス用ストップバルブ８  重油ＯＵＴ９  ギーヤモターＡＣ２００Ｖ１０  重油  ＩＮ１１  三方電磁バルブ１２  流量計１３  ダイオード１４  永久マグネット１５  巻線コイル１６  ステンレススチル  ３／４インチ筒１７  空気  入り口１８  空気導入口１９  軽油  入口２０  軽油  出口２１  セラミック
【図−１】
2009109172.tif 000003
【図−２】
2009109172.tif 000004
【手続補正書】
【提出日】平成19年12月22日(2007.12.22)
【手続補正１】
【補正対象書類名】特許請求の範囲
【補正対象項目名】請求項５
【補正方法】変更
【補正の内容】
【請求項５】
サービスタンク内の燃料が、ギヤーポンプの作動によってかき混ぜられた時に、内部にて発生する分子化装置よる静電気（イオン）が、電磁波の流れを集中させ、分子を混合器装置にて生成活性化を維持させることを特徴とする、何れかに記載の装置。
【手続補正２】
【補正対象書類名】明細書
【補正対象項目名】全文
【補正方法】変更
【補正の内容】
【発明の詳細な説明】
【技術分野】
【０００１】本発明は本質的にボイラーに関し、特に液体炭化水素を燃焼する装置全てと同様の内燃またはディーゼルエンジンを備えた内燃に関する。
【背景技術】
【０００２】ボイラー技術を推進しても、炭化水素全体を作用させることはできず、このたこれら炭化水素の一部が不完全燃焼することは知られている。これら問題を克服するためにこれまで多くの解決策が提案されており、コントロールエレクトロニクスとの両方に関連した努力がなされてきたが、結果、低消費率と汚染排出削減を保証するのに必要な、完璧な操作条件のもとに装置を維持するためには、製造コストがかなり増し、常に尽力が要求されてきた。
【発明の開示】
【０００３】他社の分子化装置と称する押し付けられる磁石エレメントを含む、燃料サービスタンクに電磁波と遠赤外線とを合成放出する装置が知られている。
【発明が解決しようとする課題】
【０００４】しかし、この装置は以下簡単に説明するような幾つかの不都合及び欠点がある。第１の問題は、電磁波の伝達を得るためには、燃料サービスタンクに一定の放射性添加基材を取り入れねばならないことである。この解決策は、燃料内で溶融される基材が燃料ポンプから経路を塞ぐ傾向にあることから、一時しのぎにすぎない。
【０００５】さらに、前記他社のでは構成された（部品）の電磁波の反射に貢献するギヤーポンプの圧縮によって、装置内に配置されその位置を維持されている磁石との接触と正常な位置付けにより、電磁波が増加させられる。これは、時間と共に劣化する傾向にあるため、以下の諸問題を起こす欠点の原因となる。サービスタンク導管が塞がれる可能性を起こす。従って他社の特許に開示された装置は、操作性が時間とともに変化し温水ボイラーのダメージを起こし得るため、実際に使用することができない。
【課題を解決するための手段】
【０００６】本発明は人力に頼らず、温水ボイラーのどのような燃料ポンプシステムも変更することなく簡単に設置され、燃料サービスタンク内の全燃料を内部で操作できる装置を提供することにより、これら問題を解決するものである。
これは、セラミックと銅線コイルとマグネットマグネットコイルによる組合せでイオンが発生することができる燃料分子化装置で達成され、燃料に添加剤を使用することなく、その機能と構造装置を構成する異なる純酸素燃料混合装置の材料と配することとの組み合わせによって、電磁波とイオンの生成を増し、燃料全体に広がる燃料分子化装置と燃料混合装置に関連随するエネルギーが、炭化水素の分子と相互作用し、一時的にその構造を変化させて、さらに気化しやすくする。これによって、燃焼が増大、改良され、これまで燃焼されなかった燃料の殆どが燃焼されることとなる。これによって、汚染排出及び消費率を非常に削減させ、温水ボイラーがより清浄化されその働きがさらに効果を増すことになる。
【発明の効果】
【発明を実施するための最良の形態】
【０００７】本発明をさらに理解するために、好ましい実施態様を図示した添付図面に従って、以下詳細に説明するが、本発明は実施例に限定されるものではない。【０００８】上述のごとく、本発明による装置は液体燃料に含まれている炭化水素の分子構造を一時的に変化せしめて燃料気化促進装置として作用する。
【実施例】
【０００９】本発明を他と区別する特徴と特性をさらに開示するために、以下に装置の各構成を詳細に説明する。
特に、これは、セラミック（１９）と銅線コイル／マグネット（１８）による組合せ燃料分子をでイオン活性化することで達成されるのでありイオン化は、セラミック（１９）と銅線コイル／マグネッ（１８）トによる組合せで発生される、並びにギャーポンプ（９）で送り出る燃料の運動ネルギーと純酸素燃料混合装置による相互作用により発生される。【００１０】セラミックと銅線コイル／マグネットによる組合せ永久で、イオン化する装置は、円筒形を有しており、純酸素燃料混合装置も円筒形を有して、硬い導管内に配置され、セラミックと銅線コイル／マグネットによる組合せで、イオン化する装置は、環状の金属板の上／下の間に形成されている。【００１１】本発明の特徴によれば、上述のごとく、前記アセンブリは、オイルタンクとボイラーの間で連続的にギヤーポンプ（９）に接続されていることによって、オイルタンクとボイラーとが電気的な電磁バルプ（３）制御されることが保証される。【００１２】環状の永久磁石構成物は、内部に配置された部材全てを、正しい位置に維持する機能を有する。これらの磁石（１９）は、最新のものに属し、現在利用可能な他の磁石の何れよりも非常に高い効果を有しており、特にサマリウムの高エネルギーと磁力とにより、非常に小型で効果の高い磁石の設計が可能である。これらの永久磁石電磁波をより多く発生させるものであって、これらの広がりに非常に重要である。磁石は、これら成分の化学的効果を強化するのに必須である。磁石は、また別の形態を有してもよい。【００１３】装置を燃料供給パイプの中間内に設置し、メインタンクより入に連結する。
形成しようとする、セラミック（２０）と銅線コイル／マグネット（１９）による組合せの合成電磁波は、燃料の質が、電磁波放出により次第に改良される。つまり燃料が純化され、重い煙及び／または粒子を生成することなく、非常に素早く燃料を燃焼することができる。これは、オイル分子化装置内の液体燃料がその分子構造に一時的変更を受け、これが純酸素によって素早く気化されうることを意味している。【００１４】言い換えれば、炭素及び水素原子の複雑な炭素鎖を特徴とするＡ重油やディーゼル油や灯油などの燃料を考慮すると、本発明により発生される装置により、これらの炭素鎖は、炭素−炭素結合において断たれ炭素鎖に酸素結合が増え良質の内燃によりふさわしいものとなる。これは、また、炭化水素からなる内燃及び液体燃料の場合全ての場合にも言えることである。【００１５】本発明によれば、オイル分子化装置内の燃料がギヤーポンプ（９）の移動によりかき混ざる場合に、その内部に起こる静電気（イオン）が、燃料の分子構造を変えることで、相互の分子集合を低下させ、炭化水素分子間の酸素透過性を良好かつ増大させることになる。【００１６】このことは、すべて、以下のような有効な効果をもたらす。
非燃焼炭化水素排出の徹底削減−消費率の削減−燃料供給システムの清浄を効率よく作用させる。人力の要求削減さらに、装置をメインタンクとサービスタンクとの中間に設置するので、燃料ポンプシステムは変更する必要がなく、外部からの供給がないので、短絡による汚染の可能性が全体的に排除される。実験によれば、この装置を使用して、各耐久力にもよるが、燃料消費率は１０乃至２５％削減されたことがわかった。
【産業上の利用可能性】
【００１７】最後に、前述の説明から言えることは、本発明は、変更することなく、燃焼用液体炭化水素を燃焼させるどのような温水ボイラーにも適用することができる。本発明を好ましい実施態様に添って説明図示したが、本産業発明の範囲を逸脱することなく、この分野に従事するものが同等の変更、代替ができる。
【図面の簡単な説明】
【００１８】
【図−１】本発明の実施例を示す液体炭化水素を燃焼する全体構成ブロック図である。
【図−２】インジェクター装置断面図である。
【図−３】セラミック／オイル分子化装置断面図である。
【符号の説明】
【００１９】１    エアーフイルター
２    エアー調整装置
３    電磁バルブ
４    インジェクター
５    エアー混合オイル
６    圧力スイッチ
７    バイパス電磁弁
８    重油圧力オイル
９    ギーヤモターＡＣ２００Ｖ
１０  重油  ＩＮ
１１  逆止弁
１２  オイル分子化装置
１３  重油ＯＵＴ
１４  オイル入口
１５  酸素入口
１６  オイル出口
１７  酸素混合オイル入口
１８  上／下  フランジ
１９  銅線コイル／磁石
２０  セラミック筒
２１  穴開３／４パイプ
２２  オイル出口
２３  混合循環用出口
【手続補正３】
【補正対象書類名】図面
【補正対象項目名】全図
【補正方法】変更
【補正の内容】
【図−１】
2009109172.tif 000005
【図−２】
2009109172.tif 000006
【図−３】
2009109172.tif 000007